【手続補正書】
【提出日】平成25年2月13日(2013.2.13)
【手続補正１】
【補正対象書類名】特許請求の範囲
【補正対象項目名】全文
【補正方法】変更
【補正の内容】
【特許請求の範囲】
【請求項１】
各ピクチャを分割したブロック単位で動き補償予測を用いて動画像を符号化する動画像符号化装置であって、
符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさ以下の前記符号化対象予測ブロックに対しては、前記動き情報候補に含まれる参照画像の指定情報を固定の値に設定して動き情報候補リストを生成する動き情報候補リスト生成部と、
前記動き情報候補リストから決定した動き情報候補に基づき前記符号化対象予測ブロックの動き情報を得る動き情報取得部と、
決定した前記動き情報候補を示すインデックスを符号化する動き情報符号化部とを備えることを特徴とする動画像符号化装置。
【請求項２】
各ピクチャを分割したブロック単位で動き補償予測を用いて動画像を符号化する動画像符号化装置であって、
符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさの前記符号化対象予測ブロックに対しては、前記動き情報候補に含まれる参照画像の指定情報を固定の値に設定して動き情報候補リストを生成する動き情報候補リスト生成部と、
前記動き情報候補リストから決定した動き情報候補に基づき前記符号化対象予測ブロックの動き情報を得る動き情報取得部と、
決定した前記動き情報候補を示すインデックスを符号化する動き情報符号化部とを備えることを特徴とする動画像符号化装置。
【請求項３】
各ピクチャを分割したブロック単位で動き補償予測を用いて動画像を符号化する動画像符号化装置であって、
符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、動き情報候補リストを生成する動き情報候補リスト生成部と、
前記動き情報候補リストから選択された動き情報候補を前記符号化対象予測ブロックの動き情報として使用することにより生成される予測信号と、前記符号化対象予測ブロックの画像信号との差分である予測誤差信号を符号化する予測誤差信号符号化部と、
前記動き情報候補リストから選択された動き情報候補を示すインデックスを符号化する動き情報符号化部とを備え、
前記動き情報候補リスト生成部は、所定の大きさの領域内の符号化順で二番目以降に動き補償予測を用いて符号化する前記符号化対象予測ブロックの参照画像の指定情報を、前記所定の大きさの領域内の符号化順で一番目に動き補償予測を用いて符号化する前記符号化対象予測ブロックの参照画像の指定情報と同一の値に設定することを特徴とする動画像符号化装置。
【請求項４】
各ピクチャを分割したブロック単位で動き補償予測を用いて動画像を符号化する動画像符号化方法であって、
符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさ以下の前記符号化対象予測ブロックに対しては、前記動き情報候補に含まれる参照画像の指定情報を固定の値に設定して動き情報候補リストを生成する動き情報候補リスト生成ステップと、
前記動き情報候補リストから決定した動き情報候補に基づき前記符号化対象予測ブロックの動き情報を得る動き情報取得ステップと、
決定した前記動き情報候補を示すインデックスを符号化する動き情報符号化ステップとを備えることを特徴とする動画像符号化方法。
【請求項５】
各ピクチャを分割したブロック単位で動き補償予測を用いて動画像を符号化する動画像符号化方法であって、
符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさの前記符号化対象予測ブロックに対しては、前記動き情報候補に含まれる参照画像の指定情報を固定の値に設定して動き情報候補リストを生成する動き情報候補リスト生成ステップと、
前記動き情報候補リストから決定した動き情報候補に基づき前記符号化対象予測ブロックの動き情報を得る動き情報取得ステップと、
決定した前記動き情報候補を示すインデックスを符号化する動き情報符号化ステップとを備えることを特徴とする動画像符号化方法。
【請求項６】
各ピクチャを分割したブロック単位で動き補償予測を用いて動画像を符号化する動画像符号化プログラムであって、
符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさ以下の前記符号化対象予測ブロックに対しては、前記動き情報候補に含まれる参照画像の指定情報を固定の値に設定して動き情報候補リストを生成する動き情報候補リスト生成ステップと、
前記動き情報候補リストから決定した動き情報候補に基づき前記符号化対象予測ブロックの動き情報を得る動き情報取得ステップと、
決定した前記動き情報候補を示すインデックスを符号化する動き情報符号化ステップとをコンピュータに実行させることを特徴とする動画像符号化プログラム。
【請求項７】
各ピクチャを分割したブロック単位で動き補償予測を用いて動画像を符号化する動画像符号化プログラムであって、
符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさの前記符号化対象予測ブロックに対しては、前記動き情報候補に含まれる参照画像の指定情報を固定の値に設定して動き情報候補リストを生成する動き情報候補リスト生成ステップと、
前記動き情報候補リストから決定した動き情報候補に基づき前記符号化対象予測ブロックの動き情報を得る動き情報取得ステップと、
決定した前記動き情報候補を示すインデックスを符号化する動き情報符号化ステップとをコンピュータに実行させることを特徴とする動画像符号化プログラム。
【請求項８】
各ピクチャを分割したブロック単位で動き補償予測を用いて動画像を符号化する動画像符号化方法により符号化された符号列をパケット化して符号化データを得るパケット処理部と、
パケット化された前記符号化データを送信する送信部とを備え、
前記動画像符号化方法は、
符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさ以下の前記符号化対象予測ブロックに対しては、前記動き情報候補に含まれる参照画像の指定情報を固定の値に設定して動き情報候補リストを生成する動き情報候補リスト生成ステップと、
前記動き情報候補リストから決定した動き情報候補に基づき前記符号化対象予測ブロックの動き情報を得る動き情報取得ステップと、
決定した前記動き情報候補を示すインデックスを符号化する動き情報符号化ステップとを有することを特徴とする送信装置。
【請求項９】
各ピクチャを分割したブロック単位で動き補償予測を用いて動画像を符号化する動画像符号化方法により符号化された符号列をパケット化して符号化データを得るパケット処理部と、
パケット化された前記符号化データを送信する送信部とを備え、
前記動画像符号化方法は、
符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさの前記符号化対象予測ブロックに対しては、前記動き情報候補に含まれる参照画像の指定情報を固定の値に設定して動き情報候補リストを生成する動き情報候補リスト生成ステップと、
前記動き情報候補リストから決定した動き情報候補に基づき前記符号化対象予測ブロックの動き情報を得る動き情報取得ステップと、
決定した前記動き情報候補を示すインデックスを符号化する動き情報符号化ステップとを有することを特徴とする送信装置。
【請求項１０】
各ピクチャを分割したブロック単位で動き補償予測を用いて動画像を符号化する動画像符号化方法により符号化された符号列をパケット化して符号化データを得るパケット処理ステップと、
パケット化された前記符号化データを送信する送信ステップとを備え、
前記動画像符号化方法は、
符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさ以下の前記符号化対象予測ブロックに対しては、前記動き情報候補に含まれる参照画像の指定情報を固定の値に設定して動き情報候補リストを生成する動き情報候補リスト生成ステップと、
前記動き情報候補リストから決定した動き情報候補に基づき前記符号化対象予測ブロックの動き情報を得る動き情報取得ステップと、
決定した前記動き情報候補を示すインデックスを符号化する動き情報符号化ステップとを有することを特徴とする送信方法。
【請求項１１】
各ピクチャを分割したブロック単位で動き補償予測を用いて動画像を符号化する動画像符号化方法により符号化された符号列をパケット化して符号化データを得るパケット処理ステップと、
パケット化された前記符号化データを送信する送信ステップとを備え、
前記動画像符号化方法は、
符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさの前記符号化対象予測ブロックに対しては、前記動き情報候補に含まれる参照画像の指定情報を固定の値に設定して動き情報候補リストを生成する動き情報候補リスト生成ステップと、
前記動き情報候補リストから決定した動き情報候補に基づき前記符号化対象予測ブロックの動き情報を得る動き情報取得ステップと、
決定した前記動き情報候補を示すインデックスを符号化する動き情報符号化ステップとを有することを特徴とする送信方法。
【請求項１２】
各ピクチャを分割したブロック単位で動き補償予測を用いて動画像を符号化する動画像符号化方法により符号化された符号列をパケット化して符号化データを得るパケット処理ステップと、
パケット化された前記符号化データを送信する送信ステップとをコンピュータに実行させ、
前記動画像符号化方法は、
符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさ以下の前記符号化対象予測ブロックに対しては、前記動き情報候補に含まれる参照画像の指定情報を固定の値に設定して動き情報候補リストを生成する動き情報候補リスト生成ステップと、
前記動き情報候補リストから決定した動き情報候補に基づき前記符号化対象予測ブロックの動き情報を得る動き情報取得ステップと、
決定した前記動き情報候補を示すインデックスを符号化する動き情報符号化ステップとを有することを特徴とする送信プログラム。
【請求項１３】
各ピクチャを分割したブロック単位で動き補償予測を用いて動画像を符号化する動画像符号化方法により符号化された符号列をパケット化して符号化データを得るパケット処理ステップと、
パケット化された前記符号化データを送信する送信ステップとをコンピュータに実行させ、
前記動画像符号化方法は、
符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさの前記符号化対象予測ブロックに対しては、前記動き情報候補に含まれる参照画像の指定情報を固定の値に設定して動き情報候補リストを生成する動き情報候補リスト生成ステップと、
前記動き情報候補リストから決定した動き情報候補に基づき前記符号化対象予測ブロックの動き情報を得る動き情報取得ステップと、
決定した前記動き情報候補を示すインデックスを符号化する動き情報符号化ステップとを有することを特徴とする送信プログラム。
【手続補正２】
【補正対象書類名】明細書
【補正対象項目名】００１１
【補正方法】変更
【補正の内容】
【００１１】
上記課題を解決するために、本発明のある態様の動画像符号化装置は、各ピクチャを分割したブロック単位で動き補償予測を用いて動画像を符号化する動画像符号化装置であって、符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさ以下の前記符号化対象予測ブロックに対しては、前記動き情報候補に含まれる参照画像の指定情報を固定の値に設定して動き情報候補リストを生成する動き情報候補リスト生成部（１１００）と、前記動き情報候補リストから決定した動き情報候補に基づき前記符号化対象予測ブロックの動き情報を得る動き情報取得部（１００８）と、決定した前記動き情報候補を示すインデックスを符号化する動き情報符号化部（１１０）とを備える。
【手続補正３】
【補正対象書類名】明細書
【補正対象項目名】００１２
【補正方法】変更
【補正の内容】
【００１２】
本発明の別の態様もまた、動画像符号化装置である。この装置は、各ピクチャを分割したブロック単位で動き補償予測を用いて動画像を符号化する動画像符号化装置であって、符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさの前記符号化対象予測ブロックに対しては、前記動き情報候補に含まれる参照画像の指定情報を固定の値に設定して動き情報候補リストを生成する動き情報候補リスト生成部（１１００）と、前記動き情報候補リストから決定した動き情報候補に基づき前記符号化対象予測ブロックの動き情報を得る動き情報取得部（１００８）と、決定した前記動き情報候補を示すインデックスを符号化する動き情報符号化部（１１０）とを備える。
【手続補正４】
【補正対象書類名】明細書
【補正対象項目名】００１３
【補正方法】変更
【補正の内容】
【００１３】
本発明のさらに別の態様もまた、動画像符号化装置である。この装置は、各ピクチャを分割したブロック単位で動き補償予測を用いて動画像を符号化する動画像符号化装置であって、符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、動き情報候補リストを生成する動き情報候補リスト生成部（１１００）と、前記動き情報候補リストから選択された動き情報候補を前記符号化対象予測ブロックの動き情報として使用することにより生成される予測信号と、前記符号化対象予測ブロックの画像信号との差分である予測誤差信号を符号化する予測誤差信号符号化部（１０３）と、前記動き情報候補リストから選択された動き情報候補を示すインデックスを符号化する動き情報符号化部（１１０）とを備える。前記動き情報候補リスト生成部（１１００）は、所定の大きさの領域内の符号化順で二番目以降に動き補償予測を用いて符号化する前記符号化対象予測ブロックの参照画像の指定情報を、前記所定の大きさの領域内の符号化順で一番目に動き補償予測を用いて符号化する前記符号化対象予測ブロックの参照画像の指定情報と同一の値に設定する。
【手続補正５】
【補正対象書類名】明細書
【補正対象項目名】００１４
【補正方法】変更
【補正の内容】
【００１４】
本発明のさらに別の態様は、動画像符号化方法である。この方法は、各ピクチャを分割したブロック単位で動き補償予測を用いて動画像を符号化する動画像符号化方法であって、符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさ以下の前記符号化対象予測ブロックに対しては、前記動き情報候補に含まれる参照画像の指定情報を固定の値に設定して動き情報候補リストを生成する動き情報候補リスト生成ステップと、前記動き情報候補リストから決定した動き情報候補に基づき前記符号化対象予測ブロックの動き情報を得る動き情報取得ステップと、決定した前記動き情報候補を示すインデックスを符号化する動き情報符号化ステップとを備える。
本発明のさらに別の態様もまた、動画像符号化方法である。この方法は、各ピクチャを分割したブロック単位で動き補償予測を用いて動画像を符号化する動画像符号化方法であって、符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさの前記符号化対象予測ブロックに対しては、前記動き情報候補に含まれる参照画像の指定情報を固定の値に設定して動き情報候補リストを生成する動き情報候補リスト生成ステップと、前記動き情報候補リストから決定した動き情報候補に基づき前記符号化対象予測ブロックの動き情報を得る動き情報取得ステップと、決定した前記動き情報候補を示すインデックスを符号化する動き情報符号化ステップとを備える。
本発明のさらに別の態様は、送信装置である。この装置は、各ピクチャを分割したブロック単位で動き補償予測を用いて動画像を符号化する動画像符号化方法により符号化された符号列をパケット化して符号化データを得るパケット処理部と、パケット化された前記符号化データを送信する送信部とを備える。前記動画像符号化方法は、符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさ以下の前記符号化対象予測ブロックに対しては、前記動き情報候補に含まれる参照画像の指定情報を固定の値に設定して動き情報候補リストを生成する動き情報候補リスト生成ステップと、前記動き情報候補リストから決定した動き情報候補に基づき前記符号化対象予測ブロックの動き情報を得る動き情報取得ステップと、決定した前記動き情報候補を示すインデックスを符号化する動き情報符号化ステップとを有する。
本発明のさらに別の態様もまた、送信装置である。この装置は、各ピクチャを分割したブロック単位で動き補償予測を用いて動画像を符号化する動画像符号化方法により符号化された符号列をパケット化して符号化データを得るパケット処理部と、パケット化された前記符号化データを送信する送信部とを備える。前記動画像符号化方法は、符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさの前記符号化対象予測ブロックに対しては、前記動き情報候補に含まれる参照画像の指定情報を固定の値に設定して動き情報候補リストを生成する動き情報候補リスト生成ステップと、前記動き情報候補リストから決定した動き情報候補に基づき前記符号化対象予測ブロックの動き情報を得る動き情報取得ステップと、決定した前記動き情報候補を示すインデックスを符号化する動き情報符号化ステップとを有する。
本発明のさらに別の態様は、送信方法である。この方法は、各ピクチャを分割したブロック単位で動き補償予測を用いて動画像を符号化する動画像符号化方法により符号化された符号列をパケット化して符号化データを得るパケット処理ステップと、パケット化された前記符号化データを送信する送信ステップとを備える。前記動画像符号化方法は、符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさ以下の前記符号化対象予測ブロックに対しては、前記動き情報候補に含まれる参照画像の指定情報を固定の値に設定して動き情報候補リストを生成する動き情報候補リスト生成ステップと、前記動き情報候補リストから決定した動き情報候補に基づき前記符号化対象予測ブロックの動き情報を得る動き情報取得ステップと、決定した前記動き情報候補を示すインデックスを符号化する動き情報符号化ステップとを有する。
本発明のさらに別の態様もまた、送信方法である。この方法は、各ピクチャを分割したブロック単位で動き補償予測を用いて動画像を符号化する動画像符号化方法により符号化された符号列をパケット化して符号化データを得るパケット処理ステップと、パケット化された前記符号化データを送信する送信ステップとを備える。前記動画像符号化方法は、符号化対象予測ブロックと同一ピクチャ内の前記符号化対象予測ブロックと近接する符号化済みのブロックの有する動き情報と、前記符号化対象予測ブロックと異なる符号化済みのピクチャ内のブロックの有する動き情報とから動き情報候補を導出し、所定の大きさの前記符号化対象予測ブロックに対しては、前記動き情報候補に含まれる参照画像の指定情報を固定の値に設定して動き情報候補リストを生成する動き情報候補リスト生成ステップと、前記動き情報候補リストから決定した動き情報候補に基づき前記符号化対象予測ブロックの動き情報を得る動き情報取得ステップと、決定した前記動き情報候補を示すインデックスを符号化する動き情報符号化ステップとを有する。
【手続補正６】
【補正対象書類名】明細書
【補正対象項目名】発明の名称
【補正方法】変更
【補正の内容】
【発明の名称】動画像符号化装置、動画像符号化方法、動画像符号化プログラム、送信装置、送信方法及び送信プログラム
【手続補正７】
【補正対象書類名】明細書
【補正対象項目名】０００１
【補正方法】変更
【補正の内容】
【０００１】
本発明は、動き補償予測を用いた動画像符号化技術に関し、特に動き補償予測に利用する動画像符号化装置、動画像符号化方法、動画像符号化プログラム、送信装置、送信方法及び送信プログラムに関する。